(57)【要約】【課題】高い気密性を確保し、見栄えの良いフィルタ枠およびエアフィルタを提供する。【解決手段】本発明に係るフィルタ枠２は、上述した課題を解決するために、フィルタパック７０を囲むように矩形に組み合わされ、フィルタパック７０を通過する気流に直交する第一の方向に配置される枠材２０と、第一の方向に直交する第二の方向に配置される枠材４０と、矩形の角部を形成し、第一の方向に配置される枠材２０と第二の方向に配置される枠材４０を角部で接続する接続部材３と、を備え、枠材２０、４０の端部には接続部材３と接続する凹部２１、４１が設けられ、接続部材３は第一の方向および第二の方向に突出した凹部２１、４１に挿入する複数の凸部３０と、矩形の角部を形成する面から第一の方向および第二の方向に突出し、接続した枠材２０、４０の外周面の方向に沿うように設けられた堰３１と、を有する。【選択図】図２
2020049401.tif 000002
【特許請求の範囲】
【請求項１】
フィルタパックを囲むように矩形に組み合わされ、前記フィルタパックを通過する気流に直交する第一の方向に配置される枠材と、前記第一の方向に直交する第二の方向に配置される枠材と、
前記矩形の角部を形成し、前記第一の方向に配置される枠材と前記第二の方向に配置される枠材を前記角部で接続する接続部材と、を備え、
前記枠材の端部には前記接続部材と接合する凹部が設けられ、
前記接続部材は前記第一の方向および前記第二の方向に突出した前記凹部に挿入する複数の凸部と、前記矩形の角部を形成する面から前記第一の方向および前記第二の方向に突出し、接続した前記枠材の外周面の方向に沿うように設けられた堰と、を有することを特徴とするフィルタ枠。
【請求項２】
前記堰は、前記複数の凸部と平行に設けられ、前記枠材と前記接続部材の接続部分を覆う、請求項１に記載のフィルタ枠。
【請求項３】
前記堰は、前記接続部材に塗布されたシール材がフィルタ枠外に漏れ出すのを防止する、請求項１または２に記載のフィルタ枠。
【請求項４】
プリーツ加工された濾材を有するフィルタパックと、
フィルタパックを囲むように矩形に組み合わされ、前記フィルタパックを通過する気流に直交する第一の方向に配置される枠材と、前記第一の方向に直交する第二の方向に配置される枠材と、前記矩形の角部を形成し、前記第一の方向に配置される枠材と前記第二の方向に配置される枠材を前記角部で接続する接続部材からなるフィルタ枠と、
少なくとも前記第一の方向に配置される枠材に塗布されるシール材と、を備え、
前記接続部材は前記第一の方向および前記第二の方向に突出した前記凹部に挿入する複数の凸部と、
前記矩形の角部を形成する面から前記第一の方向および前記第二の方向に突出し、接続した前記枠材の外周面の方向に沿うように設けられた堰と、を有することを特徴とするエアフィルタ。
【請求項５】
前記堰は、前記接続部材に塗布されたシール材がフィルタ枠外に漏れ出すのを防止する、請求項４に記載のエアフィルタ。
【請求項６】
フィルタパックを囲むように矩形に組み合わされ、前記フィルタパックを通過する気流に直交する第一の方向に配置される枠材と、前記第一の方向に直交する第二の方向に配置される枠材と、
前記矩形の角部を形成し、前記第一の方向に配置される枠材と前記第二の方向に配置される枠材を前記角部で接続する接続部材と、を備えたフィルタ枠に用いられる接続部材において、
前記接続部材は前記第一の方向および前記第二の方向に突出した前記凹部に挿入する複数の凸部と、
前記矩形の角部を形成する面から前記第一の方向および前記第二の方向に突出し、接続した前記枠材の外周面の方向に沿うように設けられた堰と、を備えた接続部材。
【発明の詳細な説明】
【技術分野】
【０００１】
本発明は、フィルタ枠、エアフィルタおよびフィルタ枠用接続部材に関する。
【背景技術】
【０００２】
空調用のエアフィルタとして、複数の枠板を組み合わせたフィルタ枠に濾材を収納したものが知られている。枠板同士を接続部品により連結固定する手段としては、コーナー部材を枠板に接合する方法（例えば、特許文献１参照）等が開示されている。
【先行技術文献】
【特許文献】
【０００３】
【特許文献１】特開２０１８−５１５１０
【発明の概要】
【発明が解決しようとする課題】
【０００４】
特許文献１のコーナー部材を用いた場合には、エアフィルタの組立は容易になるが、枠板とコーナー部材の接続部分に生じる隙間がリークの原因となり、エアフィルタの気密性を低下させていた。
【０００５】
本発明はこのような事情を考慮してなされたもので、高い気密性を確保し、見栄えの良いフィルタ枠およびエアフィルタを提供するとともに、作業性を損ねることなく接続部材に塗布されたシール材がフィルタ枠外に漏れ出すのを防止するフィルタ枠用の接続部材を提供することを目的とする。
【課題を解決するための手段】
【０００６】
本発明に係るフィルタ枠は、上述した課題を解決するために、フィルタパックを囲むように矩形に組み合わされ、前記フィルタパックを通過する気流に直交する第一の方向に配置される枠材と、前記第一の方向に直交する第二の方向に配置される枠材と、前記矩形の角部を形成し、前記第一の方向に配置される枠材と前記第二の方向に配置される枠材を前記角部で接続する接続部材と、を備え、前記枠材の端部には前記接続部材と接合する凹部が設けられ、前記接続部材は前記第一の方向および前記第二の方向に突出した前記凹部に挿入する複数の凸部と、前記矩形の角部を形成する面から前記第一の方向および前記第二の方向に突出し、接続した前記枠材の外周面の方向に沿うように設けられた堰と、を有する。
また、本発明に係るエアフィルタは、上述した課題を解決するために、プリーツ加工された濾材を有するフィルタパックと、フィルタパックを囲むように矩形に組み合わされ、前記フィルタパックを通過する気流に直交する第一の方向に配置される枠材と、前記第一の方向に直交する第二の方向に配置される枠材と、前記矩形の角部を形成し、前記第一の方向に配置される枠材と前記第二の方向に配置される枠材を前記角部で接続する接続部材からなるフィルタ枠と、少なくとも前記第一の方向に配置される枠材に塗布されるシール材と、を備え、前記接続部材は前記第一の方向および前記第二の方向に突出した前記凹部に挿入する複数の凸部と、前記矩形の角部を形成する面から前記第一の方向および前記第二の方向に突出し、接続した前記枠材の外周面の方向に沿うように設けられた堰と、を有する。
さらに、本発明に係るフィルタ枠用接続部材は、上述した課題を解決するために、フィルタパックを囲むように矩形に組み合わされ、前記フィルタパックを通過する気流に直交する第一の方向に配置される枠材と、前記第一の方向に直交する第二の方向に配置される枠材と、前記矩形の角部を形成し、前記第一の方向に配置される枠材と前記第二の方向に配置される枠材を前記角部で接続する接続部材と、を備えたフィルタ枠に用いられる接続部材において、前記接続部材は前記第一の方向および前記第二の方向に突出した前記凹部に挿入する複数の凸部と、前記矩形の角部を形成する面から前記第一の方向および前記第二の方向に突出し、接続した前記枠材の外周面の方向に沿うように設けられた堰と、を備えた。
【発明の効果】
【０００７】
本発明に係るフィルタ枠およびエアフィルタにおいては、高い気密性を確保し、見栄えの良いフィルタ枠およびエアフィルタを提供することができる。本発明に係るフィルタ枠用接続部材においては、作業性を損ねることなく接続部材に塗布されたシール材がフィルタ枠外に漏れ出すのを防止することができる。
【図面の簡単な説明】
【０００８】
【図１】本実施形態のエアフィルタを示す斜視図である。
【図２】図１に示すエアフィルタの一部を分解して示す分解斜視図である。
【図３】本実施形態の接続部材を示す図であり、（ａ）は接続部材を内周面側から見た図であり、（ｂ）は接続部材を外周面側から見た図である。
【図４】図３に示す接続部材を気流方向から見た図である。
【図５】本実施形態のエアフィルタの組立方法を説明する図である。
【発明を実施するための形態】
【０００９】
本発明に係るフィルタ枠、エアフィルタおよびフィルタ枠用接続部材の一実施形態を図面に基づいて説明する。
【００１０】
図１は、本発明の一実施形態に係るエアフィルタ１の斜視図である。本実施形態に係るエアフィルタ１は、フィルタパック７０と、フィルタパック７０を内部に収納する矩形のフィルタ枠２から構成される。
【００１１】
フィルタパック７０は、プリーツ加工された濾材５０を有している。濾材５０は、気体中の微粒子を捕集する、プリーツ加工された部材である。濾材５０には、例えば、ガラス繊維または樹脂繊維の繊維材料からなる不織布または織布が用いられる。濾材５０の具体例として、粒径０．３μｍの粒子に対する捕集効率が、９０〜９９．９９％であり、厚みが０．４〜０．９ｍｍである。このような濾材５０は、ＨＥＰＡフィルタ（粒径０．３μｍの粒子に対して９９．９７％以上の捕集効率を有し、かつ初期の圧力損失が２４５Ｐａ以下であるフィルタ）、あるいは、ＨＥＰＡに準じる性能のフィルタ（粒径０．３μｍの粒子に対して９０〜９９．９９％の捕集効率を有するフィルタ）として用いることができる。
濾材５０は、濾材シートを、山折および谷折りを交互に繰り返し行うことによりジグザグ形状に形成されている。特に制限されないが、フィルタパック７０の外寸は、例えば、縦（図１のＺ方向長さ）５８０ｍｍ×横（図１のＹ方向長さ）５８０ｍｍ×奥行き（図１のＸ方向長さ）５０〜２９０ｍｍである。フィルタパック７０のプリーツ間隔は２〜１０ｍｍ、折り幅は４０〜２６０ｍｍ、プリーツ数は６０〜２４０である。
【００１２】
フィルタパック７０は、さらに、プリーツ間隔の間隔保持材としてセパレータ６０を有していることが好ましい。セパレータ６０は、濾材５０の隣り合う２つのプリーツ（山折りされた山部）の間のスペースごとに配置された複数の部材である。セパレータ６０の材料としては、アルミニウム、ステンレス等の金属、あるいは紙が用いられる。セパレータ６０は、プリーツ同士の間隔（図１のＹ方向に沿った間隔）を保持する部材である。セパレータ６０は、波形状に折り曲げられて形成され、プリーツの折り目が延びる方向（図１のＺ方向）と略平行な方向に延びるよう配置されている。フィルタパック７０の第一の方向の両端には、濾材５０が位置していることが好ましい。また、間隔保持材はホットメルト、スタビライザ、濾材のエンボス加工などでも良い。
【００１３】
フィルタ枠２は、矩形の各辺を構成する４つの枠材２０、４０および４つの接続部材３で形成される。枠材２０、４０は、フィルタパック７０を通過する気流に直交する第一の方向（以下、図１、２および５のＹ方向をいう）に２つの枠材２０が対向して配置され、第一の方向に直交する第二の方向（以下、図１、２および５のＺ方向をいう）に２つの枠材４０が対向して配置されている。枠材２０、４０の詳細については、後述する。
接続部材３は、矩形の角部を形成し、第一の方向に配置される枠材（第一の枠材）２０と、第二の方向に配置される枠材（第二の枠材）４０を角部で接続する。接続部材３の詳細は、後述する。
【００１４】
図２は、エアフィルタ１の一部を分解して示す分解斜視図である。枠材２０、４０は、枠板部２２、４２とカバー部２４、４４から構成される。
【００１５】
枠板部２２、４２は、図２に示す例において、Ｙ方向またはＺ方向に板状に延びる部分である。枠板部２２、４２の内周面はフィルタパック７０と当接し、外周面の一部は凸部３０と当接する。枠板部２２、４２の外周面には、接続部材３の凸部３０と接合するための凹部２１、４１が複数設けられる。第一の枠材２０の凹部２１は、Ｚ方向に窪み、気流方向（以下、図１、２および５のＸ方向をいう）に沿って複数設けられている。第二の枠材４０の凹部４１は、Ｙ方向に窪み、Ｘ方向に沿って複数設けられる。枠板部２２、４２に設けられる凹部２１、４１の数は、図２に示す例において４つであるが、その数は制限されない。
【００１６】
凹部２１、４１はフィルタ枠２の外周面側に開放されるため、凸部３０の位置を枠材２０、４０の特定の位置に正確に合わせる必要がない。これにより、例えば、接続部品と枠板を嵌合する場合に比べ、作業性がよく、エアフィルタの組み立てが容易になる。
【００１７】
また、枠板部２２、４２は、枠板部２２、４２からＹ方向またはＺ方向の外側に突出し、かつ、枠材２０、４０の長手方向に延びるリブ２３、４３を有する。図２に示す例において、リブ２３、４３は、３本設けられているが、その数は制限されず、凸部３０の数に応じて設けられる。枠材２０、４０は、その寸法、形状によっては、フィルタパック７０から力を受けることで、大きく変形する場合がある。これによって、フィルタパック７０と、枠材２０、４０との間に隙間があくと、リークが生じるおそれがある。エアフィルタ１では、枠板部２２、４２にリブ２３、４３が設けられていることで、枠材２０、４０の長手方向に対する曲げ剛性が高くなり、フィルタパック７０から力を受けても、枠材２０、４０の長手方向への変形量が大きくなりすぎない。
【００１８】
カバー部２４、４４は、枠板部２２、４２のＸ方向の両端に設けられ、断面形状は略Ｌ字型である。カバー部２４、４４は、枠板部２２、４２のＸ方向の両端からＺ方向またはＹ方向に向かって突出するガード部２５、４５を有する。ガード部２５、４５は、シール材がフィルタ枠２の内周面に塗布されるとき、シール材がフィルタ枠外に漏れ出すのを防止する。
【００１９】
接続部材３は、Ｙ方向およびＺ方向に突出し、枠材の凹部２１、４１に挿入する複数の凸部３０を有している。凸部３０は、Ｙ方向またはＺ方向を向く面を有する板状の形状を有しており、Ｘ方向に沿って複数設けられる。接続部材３に設けられる凸部３０の数は、図２に示す例において４つであるが、その数は制限されない。また、凸部３０は、図２に示す例において、一定の曲率半径に沿った角部を有する形状に形成されているが、このような形状に制限されない。
【００２０】
凸部３０は、接続部材３と枠材２０、４０とが接合される際に、枠板部２２、４２の凹部２１、４１に対してＹ方向およびＺ方向に沿って当接するように配置される。Ｘ方向に対して接続部材３の両端に位置する凸部３０の端部は、カバー部２４、４４により覆われている。
【００２１】
さらに、接続部材３は、フィルタ枠２の角部を形成する面（接続部材３がフィルタ枠２に組み立てられた時に外側に出る外周面３２ａ）からＹ方向およびＺ方向に突出し、接続部材３に接合した枠材２０、４０の外周面の方向に沿うように設けられた堰３１を有する。堰３１の詳細については、後述する。
【００２２】
枠材２０、４０および接続部材３は、例えば、ＡＢＳ樹脂、ポリプロピレン、ポリスチレン、ポリカーボネート、ポリフタルアミド等の樹脂材料を用いて作製される。
【００２３】
図３は、接続部材３を示す図であり、（ａ）は接続部材３を内周面３２ｂ側から見た図であり、（ｂ）は接続部材３を外周面３２ａ側から見た図である。
【００２４】
堰３１は、第一の方向および第二の方向（接続部材３の長手方向に直交する方向）を向く面を有する板状の形状であり、複数の凸部３０の面と平行に設けられる。堰３１の長手方向の両端部は切り欠かれており、堰３１の長手方向の長さは接続部材３の長手方向の長さよりも短い。切欠きは、枠材２０、４０と接続部材３の接合時に、カバー部２４、４４の端部と当接する。
【００２５】
堰３１は、接続部材３と枠材２０、４０の接続部分を覆うように設けられる。これにより、堰３１はエアフィルタ１を組み立てる際に、凸部３０の間から漏れ出したシール材がフィルタ枠２の枠外へ漏れ出すのを防止することができる。
【００２６】
図４は、接続部材３を気流方向から見た図である。
【００２７】
凸部３０は、図４に示す例では、先細りにされた先端部３３を有している。これにより、凸部３０の厚みが厚い場合であっても、エアフィルタ１を組み立てる際に、凸部３０を凹部２１、４１に簡単に挿入することができる。先端部３３は、図４に示す例において、厚み方向の片側のみ削り取られた形態を有しているが、厚み方向の両側において削り取られた形態が採用されてもよい。
【００２８】
図５は、エアフィルタ１の組立方法を示す斜視図である。
【００２９】
この具体例では、まず、第一の枠材２０の両端に接続部材３の第一の方向に突出した凸部３０を接合（挿入）し、エアフィルタ１の下辺をなす部分を作製する。接合した接続部材３の第二の方向に突出した凸部３０を上方（−Ｚ方向）に向けて置き、枠板部２２の内周面２２ａおよび接続部材３の内周面３２ｂ（内周面２２ａと同一面上に位置する面）に、例えばウレタン樹脂のシール材（兼接着剤）を塗布する。接続部材３の内周面３２ｂにシール材が塗布されることにより、接続部材３の内周面３２ｂと第二の枠材４０の端面（接続部材３と接する面）に隙間ができず、リークが発生しにくくなる。
【００３０】
次いで、フィルタパック７０を、横方向（濾材５０の折り目と直交する方向）の両側から第二の枠材４０で挟持し、第一の方向の内側に圧縮し、フィルタパック組立体８０を作製する。フィルタパック７０と第二の枠材４０とは、接着剤により線接着されることで固定されている。線接着は、濾材５０の折り目が延びる方向（Ｚ方向）に沿った接着である。
【００３１】
フィルタパック組立体８０を、第一の枠材２０に対して、Ｙ方向に位置決めする。また、図５に示すように、第一の枠材２０の気流の下流側の縁に、フィルタパック組立体８０の気流の下流側の縁を合わせて、この縁を回動中心としてフィルタパック組立体８０が回動されるよう仮固定する。この状態で、第一の枠材２０の凸部３０が、フィルタパック組立体８０の第二の枠材４０の凹部４１に挿入されることを確認しながら、図５の矢印で示すようにフィルタパック組立体８０を回動して、凸部３０を凹部４１に挿入し、フィルタパック７０をシール材に接触させる。フィルタパック７０を一旦シール材に接触させると、フィルタパック組立体８０を第一の枠材２０から離すことができなくなる。このため、仮に、フィルタパック組立体８０が第二の枠材４０に対してＹ方向にずれた状態で接着された場合は、エアフィルタ１の性能に問題が生じるような歪みとなる。本組立方法では、フィルタパック組立体８０を、上述のように第一の枠材２０に対して回動させられることで、フィルタパック組立体８０を第一の枠材２０に対して精度良く位置決めすることができる。
【００３２】
次いで、第一の枠材２０の両端に接続部材３のＹ方向に突出した凸部３０を接合し、エアフィルタ１の上辺をなす部分を作製する。また、枠板部２２の内周面２２ａに、例えばウレタン樹脂のシール材（兼接着材）を塗布する。その後、接合した接続部材３のＺ方向に突出した凸部３０を下方（＋Ｚ方向）に向け、フィルタパック組立体８０の第二の枠材４０の凹部４１に挿入し、フィルタパック７０をシール材に接触させる。以上のようにして、エアフィルタ１は組み立てられる。
【００３３】
本発明のフィルタ枠、エアフィルタおよびフィルタ枠用接続部材は上記実施形態に限定されず、本発明の主旨を逸脱しない範囲において、種々の改良や変更を行うことができる。
【符号の説明】
【００３４】
１  エアフィルタ
２  フィルタ枠
３  接続部材
２０  第一の方向に配置される枠材（第一の枠材）
２１、４１  凹部
２２、４２  枠板部
２３、４３  リブ
２４、４４  カバー部
２５、４５  ガード部
３０  凸部
３１  堰
４０  第二の方向に配置される枠材（第二の枠材）
【図１】
2020049401.tif 000003
【図２】
2020049401.tif 000004
【図３】
2020049401.tif 000005
【図４】
2020049401.tif 000006
【図５】
2020049401.tif 000007